(57)【要約】【課題】  接続されるケーブルが半挿し状態であっても回路基板の電子部品を故障させることなくケーブルの半挿し状態を検出可能とする電子装置を提供する。【解決手段】  略直線状に配置された８本の端子５２を有するコネクタ５１の長手方向の略中央にレーザダイオードの駆動用電源（５ＶＩ）用の端子（５番端子５２ｅ）を配置する。すると、メインケーブル８３が半挿し状態となっても、コネクタ５１の５番端子５２ｅとメインケーブル８３のリード８４の５番端子８４ｅが常に接触する。つまり、コネクタ５１とリード８４の７番端子８４ｇ，８が電気的に非接触状態となっても、端子配列中央の５番端子８４ｅの端子を介してＰＤ基板４７及びＬＤ基板４８には常に制御回路用電源（＋５Ｖ）が供給されるので、ＰＤ基板４７及びＬＤ基板４８に実装されているレーザダイオード４２やその他の電子部品が破壊されたり寿命が短くなることがない。【選択図】  図６
2007019325.tif 000002
【特許請求の範囲】
【請求項１】
複数の電子部品が実装された電子部品実装部材と、
前記電子部品実装部材に設けられ、前記電子部品に駆動用電源を供給する第１の電源端子及び前記電子部品に入力される電気信号が流れる複数本の信号端子を有するとともに、前記第１の電源端子及び前記複数本の信号端子が略直線状に配置された電気接続部と、
を備え、
前記電気接続部の長手方向略中央には前記第１の電源端子が配置され、
前記第１の電源端子に対して前記電気接続部の長手方向端部側の少なくとも一方側には前記信号端子が配置されていることを特徴とする電子装置。
【請求項２】
前記複数の電子部品は、協働して作動する発光素子及び受光素子を有し、
前記発光素子及び受光素子のうち一方が前記電気接続部の長手方向一端部側に接続され、もう一方が前記電気接続部の長手方向他端側に接続されていることを特徴とする請求項１に記載の電子装置。
【請求項３】
前記電子部品実装部材は、電子写真方式の露光を行うスキャナ装置を構成するものであり、
前記発光素子はレーザダイオードであり、
前記受光素子はフォトダイオードであり、
前記電気接続部の長手方向一端部側の前記信号端子に前記受光素子が接続され、
さらに、前記電気接続部の長手方向他端には、前記発光素子に駆動電源を供給する第２の電源端子が配置されていることを特徴とする請求項２に記載の電子装置。
【請求項４】
前記第１の電源端子と前記第２の電源端子との間にはグランドに接続される端子が備えられていることを特徴とする請求項３に記載の電子装置。
【請求項５】
前記電子部品を制御するための制御基板を備え、
前記電子部品実装部材と前記制御基板とは可撓性を有するケーブルによって接続されることを特徴とする請求項１〜請求項４の何れかに記載の電子装置。
【発明の詳細な説明】
【技術分野】
【０００１】
本発明は、コネクタ半挿し検出機能を備えた電子装置に関するもので、特に、電子写真式画像形成装置に適用して有効である。
【背景技術】
【０００２】
従来、回路基板のコネクタにフレキシブル・フラット・ケーブル（以下、Ｆｌｅｘｉｂｌｅ  Ｆｌａｔ  Ｃａｂｌｅの略称であるＦＦＣと称する。）を挿し込む際のコネクタの挿し忘れや半挿しを防止するために、一番外れやすいコネクタの両端を電源端子とし、ＦＦＣを介して外部から供給される電源が回路基板に正常に供給されているか否かを検知することによってコネクタの半挿しを検出していた。（例えば、特許文献１参照）
【特許文献１】特開２００２−１７８４９０号公報
【発明の開示】
【発明が解決しようとする課題】
【０００３】
ところで、電子部品は、電源が供給されない状態で信号だけが入力されるという状態が続くと、故障したり寿命が短くなったりする可能性が高い。
また、上記特許文献１に記載の半挿し検出方法では、コネクタが半挿し状態のときに一番外れやすいコネクタの両端に電源端子が配置されているため、コネクタが半挿し状態になると回路基板に実装されている電子部品に電源が供給されない状態で他の信号のみは入力されるという状況が起こる場合がある。これは、コネクタの両端に配置される電源端子以外の端子が接続状態となることによって発生するものである。
【０００４】
したがって、特許文献１に記載の半挿し検出方法では、電子部品を故障させることなくケーブルの半挿しを検出することが困難であった。
本発明は、こうした問題に鑑みなされたもので、接続されるケーブルが半挿し状態であっても回路基板の電子部品を故障させることなくケーブルの半挿し状態を検出可能とする電子装置を提供することを目的とする。
【課題を解決するための手段】
【０００５】
かかる問題を解決するためになされた請求項１に記載の発明では、複数の電子部品が実装された電子部品実装部材と、電子部品実装部材に設けられ、電子部品に駆動用電源を供給する第１の電源端子及び電子部品に入力される電気信号が流れる複数本の信号端子を有するとともに、第１の電源端子及び複数本の信号端子が略直線状に配置された電気接続部と、を備え、電気接続部の長手方向略中央には第１の電源端子が配置され、第１の電源端子に対して電気接続部の長手方向端部側の少なくとも一方側には信号端子が配置されていることを特徴とする。
【０００６】
これにより、電子部品実装部材の第１の電源端子が接続部の中央に配置されているため接続部に接続される例えばケーブルが半挿し状態となっても第１の電源端子は外れにくいので、半挿し状態でも電子部品実装部材に実装されている電子部品には電源が供給される。
【０００７】
したがって、電子部品に電源が供給されない状態で信号のみが入力されることがなくなるので、電子部品が故障したり電子部品の寿命が短くなることがない。
また、信号入力端子は接続部の少なくとも端部側に配置されているので、ケーブルが半挿し状態になったときには、電子部品に信号が入力されなくなる。したがって、電子部品の作動状態によってケーブルの半挿し状態を検出することもできる。
【０００８】
以上のように、請求項１の発明によれば、電子部品実装部材に実装されている電子部品を故障させることなくケーブルの半挿し状態を検出することができる。
なお、本発明において、電子部品実装部材とは、電子部品が実装される回路基板が単体で構成されているものだけでなく、電子部品が実装された複数の回路基板をケーブル等で接続したものも含む意味である。
【０００９】
請求項２に記載の発明では、複数の電子部品としては、協働して作動する発光素子及び受光素子を有し、発光素子及び受光素子のうち一方が電気接続部の長手方向一端部側に接続され、もう一方が電気接続部の長手方向他端側に接続されていることを特徴とする。
【００１０】
これにより、ケーブルが半挿し状態の場合には、発光素子及び受光素子の少なくとも一方の信号の入力が正常に行われない。また、発光素子及び受光素子の何れかが故障した場合には、発光又は受光が正常に行われない。さらに、発光素子と受光素子との間の光学系に異常があった場合には受光素子での受光が正常に行われない。
【００１１】
したがって、発光素子と受光素子との間の発光と受光とが正常に行われているか否かを検知することにより、ケーブルの半挿し状態はもちろんのこと受光素子、発光素子、及び光学系を含めた異常を検出することができる。
【００１２】
ところで、請求項３に記載の発明では、電子部品実装部材は、電子写真方式の光書き込みを行うスキャナ装置を構成するものであり、発光素子はレーザダイオードであり、受光素子はフォトダイオードであり、電気接続部の長手方向一端部側の信号端子に受光素子が接続され、さらに、電気接続部の長手方向他端には、発光素子に駆動電源を供給する第２の電源端子が配置されていることを特徴としている。
【００１３】
これにより、請求項２の発明と同様に、レーザダイオードとフォトダイオード間の発光と受光とが正常に行われているか否かを検知することにより、ケーブルの半挿しのみならずスキャナ装置の光学系を含めた異常を検出することができる。
【００１４】
したがって、請求項３に記載の発明をレーザプリンタに使用されるスキャナ装置に適用するとより効果的である。
ところで、レーザダイオードを発光させるとレーザダイオードの駆動電源の高周波成分がノイズとして電子部品の駆動用電源に混入し他の電子部品を異常作動させる場合がある。
【００１５】
そこで、請求項４に記載の発明では、第１の電源端子と第２の電源端子との間にはグランド（接地）に接続される端子が備えられていることを特徴とする。
これにより、電子部品の駆動用電源とレーザダイオードの駆動用電源との間にグランド線が配置され、そのグランドによって電子部品の駆動用電源が電磁遮蔽される。
【００１６】
したがって、レーザダイオードの駆動電源からのノイズが電子部品の駆動用電源に混入して電子部品が異常作動することがない。
ところで、電子装置が電子部品実装部材の他にその電子部品実装部材の電子部品を制御するための制御回路を備えている場合がある。そして、電子部品実装部材と制御基板とを電気的に接続するには、それら両基板にコネクタ等を設け、両基板同士をそのコネクタ等で直接接続する手段が考えられる。
【００１７】
しかし、その手段では、接続されて大型化した両基板を電子装置内に配置しなければならない。したがって、設計の自由度が落ちる。
これに対して請求項５に記載の発明のように、電子部品実装部材と制御基板とを可撓性を有するケーブルによって接続するようにすると、電子装置内での電子部品実装部材や制御基板の配置位置に関する設計の自由度が向上する。
【発明を実施するための最良の形態】
【００１８】
（実施形態）
本実施形態は本発明に係る電子装置を、いわゆるレーザプリンタに適用したものであり、以下に本実施形態を図面と共に説明する。
【００１９】
１．レーザプリンタの全体構成
図１は本実施形態に係るレーザプリンタ１の外観を示す斜視図であり、このレーザプリンタ１は、紙面上側を重力方向上方側として設置され、通常、紙面右側を前側として使用される。
【００２０】
そして、レーザプリンタ１の筐体３は略箱状（立方体状）に形成されており、この筐体３の上面側には、印刷を終えて筐体３から排出された記録媒体が載置される排紙トレイ５が設けられている。なお、本実施形態では、記録媒体として、紙やＯＨＰシート等の用紙を想定している。
【００２１】
また、排紙トレイ５は、後方側に向かうほど、筐体３の上面から下がるように傾斜した傾斜面５ａにて構成されており、この傾斜面５ａの後端側には、印刷が終了した記録媒体が排出される排出部７が設けられている。
【００２２】
２．レーザプリンタの内部構成
図２はレーザプリンタ１の要部を示す側断面図である。筐体３内には、記録媒体に画像を形成する画像形成部１０、画像形成部１０に記録媒体を供給するフィーダ部２０、及び画像形成部１０にて画像形成が終了した記録媒体を排出部７に向けて案内する案内部材をなす排出シュート３０等が収納されている。
【００２３】
２．１フィーダ部
フィーダ部２０は、筐体３の最下部に収納された給紙トレイ２１、給紙トレイ２１の前端部上方に設けられて画像形成部１０に記録媒体を搬送する給紙ローラ２２、並びに給紙ローラ２２にて搬送される記録媒体を１枚毎に分離する分離ローラ２３及び分離パッド２４等を有して構成されている。そして、給紙トレイ２１に載置されている記録媒体は、筐体３内前側にてＵターンするようにして、筐体３内の略中央部に配設された画像形成部１０に搬送される。
【００２４】
なお、給紙トレイ２１から画像形成部１０に至る記録媒体の搬送経路のうち、略Ｕ字状に転向する部位の頂部外側には、記録媒体の画像形成面（印刷面）に付着した紙粉等を取り除く紙粉取りローラ２５が配設され、その頂部内側には搬送される記録媒体を紙粉取りローラ２５に押圧する対向ローラ２６が配設されている。
【００２５】
また、搬送経路のうち画像形成部１０の入口には、記録媒体に搬送抵抗を付与して記録媒体の搬送状態を整える一対のローラからなるレジストローラ２７が配設されている。
２．２画像形成部
画像形成部１０は、スキャナ部４０、プロセスカートリッジ６０及び定着部７０等を有して構成されている。
【００２６】
２．２．１スキャナ部
次に、スキャナ部４０の具体的構成について説明する。
スキャナ部４０は、図２に示すように、筐体３内の上部に設けられて後述する感光体ドラム６１を露光して、その表面に静電潜像を形成するものである。
【００２７】
図３は、スキャナ部４０の内部を上方から見た平面図である。
同図に示すように、このスキャナ部４０は、レーザダイオード４２及びコリメートレンズを有しレーザビームを出射するレーザ出射部１６０、このレーザ出射部１６０からのレーザビームを収束するシリンドリカルレンズ１７０、ポリゴンモータ１１１、ポリゴンミラー４３、ｆθレンズ１２０、反射鏡１４０、シリンドリカルレンズ１３０、反射鏡１８０等を備えており、これらは樹脂製の筐体５４に固定されている。
【００２８】
ポリゴンミラー４３は、正多角形（本実施形態では正六角形）の各辺に鏡面が設けられたものであり、ポリゴンモータ１１１によって回転駆動されることにより、レーザ出射部１６０から照射されたレーザビームを主走査方向に偏向走査する。
【００２９】
ｆθレンズ１２０は、ポリゴンミラー４３によって等角速度で走査されたレーザビームを等速度走査に変換する。
反射鏡１４０は、ｆθレンズ１２０を通過したレーザビームを折り返してシリンドリカルレンズ１３０側へ反射する。
【００３０】
シリンドリカルレンズ１３０は、レーザビームを感光体ドラム６１表面に結像させるため、副走査方向に収束力を有している。
反射鏡１８０は、シリンドリカルレンズ１３０を通過したレーザビームを折り返して感光体ドラム６１側へ反射する。
【００３１】
このような構成により、図３に示すように、レーザ出射部１６０から出射されたレーザビームは、シリンドリカルレンズ１７０によって副走査方向に収束され、回転するポリゴンミラー４３上で結像される。そして、ポリゴンミラー４３の回転により主走査方向に偏向走査され、ｆθレンズ１２０及びシリンドリカルレンズ１３０を通過して、感光体ドラム６１の表面に照射される。
【００３２】
一方、図３に示すように、スキャナ部４０は、ポリゴンミラー４３により偏向走査されたレーザビームの一部を同期信号として検出するためのフォトダイオード４６を備えており、さらに、このフォトダイオード４６へレーザビームを導くための構成として、反射鏡４４、ＢＤレンズ２２０及び反射鏡４５を備えている。
【００３３】
すなわち、図３に示すように、レーザ出射部１６０から出射されたレーザビームは、上述のようにポリゴンミラー４３によって偏向走査されるが、ｆθレンズ１２０を通過したレーザビームの一部は、反射鏡４４で反射され、反射鏡４５で更に反射されることにより、ＢＤレンズ２２０を通過してフォトダイオード４６へ照射されるようになっている。
【００３４】
また、スキャナ部４０は、図３に示すように、レーザダイオード４２が実装されたＬＤ基板４８、レーザダイオード４２からのレーザビームを受光するフォトダイオード４６が実装されたＰＤ基板４７等からなるスキャナ制御部４１を備えている。
【００３５】
このように、スキャナ部４０においては、レーザービームの走査開始時の同期をとるためにレーザダイオード４２とフォトダイオード４６とが協働して作動するが、本実施形態においては、その際レーザダイオードとフォトダイオード間の発光と受光とが正常に行われているか否かを検知することにより、スキャナ部４０の光学系を含めた異常が検出される。
【００３６】
ここで、協働して作動するとは、レーザダイオード４２とフォトダイオード４６とに限らず、２つの電子部品において、各々の部品が単独に正常に作動した場合をいうのではなく、２つの部品が共に正常に作動した場合に所定の機能を発揮することを意味しており、具体的には、ＬＥＤとフォトセル、あるいは、電波の発信素子と受信素子のようなものをいう。
【００３７】
２．２．２プロセスカートリッジ
プロセスカートリッジ６０は、図２に示すように、スキャナ部４０の下方側において着脱可能に筐体３内に配設されており、このプロセスカートリッジ６０は、感光体ドラム６１、帯電器６２、転写ローラ６３及び現像カートリッジ６４等から構成されている。
【００３８】
そして、感光体ドラム６１は、記録媒体に転写される画像を担持する画像担持手段をなすもので、最表層がポリカーボネート等からなる正帯電性の感光層により形成される円筒状のドラム本体６１ａと、このドラム本体６１ａの軸心において、ドラム本体６１ａの長手方向に沿って延びてドラム本体６１ａを回転可能に支持するドラム軸６１ｂとを有して構成されている。
【００３９】
帯電器６２は、感光体ドラム６１の表面を帯電させる帯電手段をなすもので、感光体ドラム６１の後側斜め上方において、感光体ドラム６１と接触しないように所定間隔を有して感光体ドラム６１と対向配設されている。なお、本実施形態に係る帯電器６２は、コロナ放電を利用して感光体ドラム６１の表面に略均一に正電荷を帯電させるスコロトロン型帯電器を採用している。
【００４０】
転写ローラ６３は、感光体ドラム６１と対向して配設されて感光体ドラム６１の回転と連動して回転し、記録媒体が感光体ドラム６１近傍を通過する際に、感光体ドラム６１に帯電した電荷と反対の電荷（本実施形態では、負電荷）を印刷面とは反対側から記録媒体に作用させることにより、感光体ドラム６１の表面に付着したトナーを記録媒体の印刷面に転写させる転写手段をなすものである。
【００４１】
現像カートリッジ６４は、トナーが収容されたトナー収容室６４ａ、トナーを感光体ドラム６１に供給するトナー供給ローラ６４ｂ及び現像ローラ６４ｃ等を有して構成されている。
【００４２】
そして、トナー収容室６４ａに収容されているトナーは、トナー供給ローラ６４ｂの回転によって現像ローラ６４ｃ側に供給され、さらに、現像ローラ６４ｃ側に供給されたトナーは、現像ローラ６４ｃの表面に担持されるとともに、層厚規制ブレード６４ｄにより担持されたトナーの厚みが所定の厚みにて一定（均一）となる調整された後、スキャナ部４０にて露光された感光体ドラム６１の表面に供給される。
【００４３】
２．２．３定着部
定着部７０は、記録媒体の搬送方向において感光体ドラム６１より後流側に配設され、記録媒体に転写されたトナーを加熱溶融させて定着させるものである。具体的には、定着部７０は、記録媒体の印刷面側に配設されてトナーを加熱する加熱ローラ７１、及び記録媒体を挟んで加熱ローラ７１と反対側に配設されて記録媒体を加熱ローラ７１側に押圧する加圧ローラ７２等を有して構成されている。
【００４４】
ちなみに、本実施形態に係る加熱ローラ７１は、表面がフッ素樹脂によってコーティングされた金属管と、その金属管内に加熱のためのハロゲンランプとから構成されており、一方、加圧ローラ７２は、金属製のローラ軸を、ゴム材料からなるローラで被覆することにより構成されている。
【００４５】
以上に説明した画像形成部１０においては、以下のようにして記録媒体に画像が形成される。
すなわち、感光体ドラム６１の表面は、その回転に伴って、帯電器６２により一様に正帯電された後、スキャナ部４０から照射されるレーザビームの高速走査により露光される。これにより、感光体ドラム６１の表面には、記録媒体に形成すべき画像に対応した静電潜像が形成される。
【００４６】
次いで、現像ローラ６４ｃの回転により、現像ローラ６４ｃ上に担持され、かつ、正帯電されているトナーが、感光体ドラム６１に対向して接触するときに、感光体ドラム６１の表面上に形成されている静電潜像、つまり、一様に正帯電されている感光体ドラム６１の表面のうち、レーザビームによって露光され電位が下がっている露光部分に供給される。これにより、感光体ドラム６１の静電潜像は、可視像化され、感光体ドラム６１の表面には、反転現像によるトナー像が担持される。
【００４７】
その後、感光体ドラム６１の表面上に担持されたトナー像は、転写ローラ６３に印加される転写バイアスによって記録媒体に転写される。そして、トナー像が転写された記録媒体は定着部７０に搬送されて加熱され、トナー像として転写されたトナーが記録媒体に定着して、画像形成が完了する。
【００４８】
２．３排出シュート
そして、排出シュート３０は、記録媒体の搬送方向において定着部７０より搬送方向後流側に配設されているとともに、本実施形態では、画像形成部１０にて画像形成が終了した記録媒体を、Ｕターンさせるようにして定着部７０より上方側に設けられた排出部７に向けて記録媒体の搬送を案内する。
【００４９】
３．制御部
制御部は、レーザプリンタ１全体の制御を行う主制御部８０とスキャナ部４０を制御するスキャナ制御部４１とを有して構成され、両者は可撓性を有するフレキシブル・フラット・ケーブル（以下、Ｆｌｅｘｉｂｌｅ  Ｆｌａｔ  Ｃａｂｌｅの略であるＦＦＣと称する。）で接続されている。
【００５０】
３．１  主制御部
主制御部８０は、図１に示すように、メイン基板８１、及び、メイン基板８１と接続されるメインケーブル８３等から構成されている。
【００５１】
そして、メイン基板８１は、図示しないＣＰＵ、ＲＯＭ、ＲＡＭ、Ｉ／Ｏ、及び電源等から構成され、レーザプリンタ１の外部のコンピュータ等からの画像データの入力、レーザプリンタ１内部のフィーダ部２０、スキャナ部４０、プロセスカートリッジ６０、及び、定着部７０等の制御を行っている。
【００５２】
そして、メイン基板８１の一端には、メインケーブル８３が装着されているコネクタ８２が装着されており、このコネクタ８２は、メイン基板８１の一端に設けられた角型のコネクタであり、そのコネクタ８２にメインケーブル８３の端部が嵌入されている。
【００５３】
また、メインケーブル８３は、図１のケーブル折り返し部分の拡大図に示すように、メイン基板８１の直近で９０度の角度で２回折り曲げられ、レーザプリンタ１内部の垂直上方向に配線された後、９０°折り曲げられ、フレーム１５に沿って床面と平行に配線され、さらに、９０°の角度で２回折り返されて、スキャナ部４０へ向かって配線されている。
【００５４】
なお、メインケーブル８３は、複数の信号線が平板状に形成されたＦＦＣであり、ケーブル端部の信号線がコネクタに直接接触して導通するように端子状に加工されている（この、加工をリード加工と称し、また、端子状に加工された部分をリード８４と称する）。
【００５５】
３．２  スキャナ制御部
スキャナ制御部４１は、図３に示すように、ＰＤ基板４７、ＬＤ基板４８及びその両基板４７，４８を接続するスキャナケーブル４９等から構成されており、本実施形態のスキャナケーブル４９は、可撓性を有するＦＦＣで構成されている。
【００５６】
ＰＤ基板４７には、フォトダイオード４６及びスキャナ制御回路５０が備えられ、その端部にはコネクタ５１が装着されている。
このコネクタ５１は、図４に示すように、複数（本実施形態の場合８本）の端子５２が略直線状に配置されており、その複数の端子５２の周りを囲むように設置された長方形のカバー５３を備えている。
【００５７】
なお、略直線状とは、厳密な意味での直線を意味するものだけではなく、例えば、千鳥状、あるいは、弓状のように、端子が必ずしも一直線上に配置されていないものを含む意味である。
【００５８】
そして、図５に示すようにコネクタ５１の各々の端子５２には、次のような信号が入出力される。
すなわち、１番端子５２ａからは、フォトダイオード４６が入力を検出していることを示すＤＩ光入力検出出力信号（ＢＤ信号）が出力され、２番端子５２ｂからは、レーザダイオード４２の出力パワーモニタ信号（ＬＤ  ＭＯＮ信号）が出力され、３番端子５２ｃには、レーザダイオード４２の変調切換信号（ＰＷＭ  ＥＮＢ）が入力される。
【００５９】
また、４番端子５２ｄには、レーザダイオード４２のリファレンス電圧（ＬＤ  ＨＡＬＦ）が入力され、５番端子５２ｅには、スキャナ制御部４１全体の電源である制御回路用電源（＋５Ｖ）が入力され、６番端子５２ｆには、レーザダイオード４２のＯＮ（発光）／ＯＦＦ（消灯）切換信号（ＤＡＴＡ信号）が入力される。
【００６０】
さらに、７番端子５２ｇは、グランド（Ｓ０Ｖ）信号であり、８番端子５２ｈには、レーザダイオード４２の駆動用電源（５ＶＩ）が入力される。
このように、コネクタ５１の長手方向の略中央の５番端子５２ｅは、スキャナ制御部４１、すなわち、ＰＤ基板４７及びＬＤ基板４８に電源を供給するための電源端子５２ｅが配置されている。
【００６１】
また、その電源端子５２ｅ（５番端子）に対してコネクタ５１の長手方向端部側の一方側には、受光素子であるフォトダイオード４６が接続された１番端子が配置され、もう一方側には、フォトダイオード４６と協働して作動する発光素子であるレーザダイオード４２が接続される８番端子が配置されている。
【００６２】
なお、メイン基板８１に装着されているコネクタ８２もコネクタ５１と同じ構造であり、コネクタ８２の各端子には、各々、コネクタ５１の各端子に対応する信号が入出力されるようになっている。
【００６３】
また、本明細書において、端子とは、電気的に導通を図るための接触部分のことをいう。このため、個々の接触部分が複数あるものを複数の端子があるという。具体的には、ピンやソケット以外に、いわゆるハーモニカ端子やリード等である。
【００６４】
また、略中央とは、後述するように、コネクタ５１にメインケーブル８３が半挿し状態になったときに、コネクタ５１の長手方向端部以外の部分で端子が電気的な導通を確保できる位置のことをいう。
【００６５】
４．実施形態に係るレーザプリンタの特徴
図６（ａ）にリード８４がコネクタ５１に正常挿入されている状態を示し、図６（ｂ）にリード８４がコネクタ５１に半挿し状態で挿入されている状態を示す。
【００６６】
図６（ａ）に示す状態では、リード８４がコネクタ５１に対して、リード８４の８つの端子、１番端子８４ａ，２番端子８４ｂ，３番端子８４ｃ，４番端子８４ｄ，５番端子８４ｅ，６番端子８４ｆ，７番端子８４ｇ，８番端子８４ｈは、各々コネクタ５１の１番端子５２ａ〜８番端子５２ｈに全て正常に接触している。
【００６７】
このように、リード８４がコネクタ５１に正常に挿入されていれば、制御回路用電源及びその他の信号がＬＤ基板４８に対して正常に入力されるので、ＰＤ基板４７やＬＤ基板４８に実装されている電子部品には何の問題も生じない。
【００６８】
それに対し、図６（ｂ）に示すように、リード８４がコネクタ５１に対して斜めに挿入されるいわゆる半挿し状態では、リード８４の図中下端部にある７番端子８４ｇ及び８番端子８４ｈがコネクタ５１に挿入されず、コネクタ５１の７番端子５２ｇ及び８番端子５２ｈと接触しない状態となる。
【００６９】
ところが、この半挿し状態においても、コネクタ５１の長手方向の略中央に配置されている５番端子５２ｅは挿入状態であり、コネクタ５１の５番端子５２ｅとリード８４の５番端子８４ｅとは接触して導通を確保できる。
【００７０】
そして、コネクタ５１及びリード８４の５番端端子同士が接触しているので、ＰＤ基板４７には、信号入力の有無にかかわらず、常に制御回路用電源が供給される。
したがって、ＰＤ基板４７に実装されているフォトダイオード４６やＬＤ基板４８に実装されているレーザダイオード４２等の電子部品が破壊されたり、寿命が短くなったりすることがない。
【００７１】
つまり、８番端子５２ｈを介してレーザダイオード４２にレーザダイオード駆動用電源（５ＶＩ）が供給され、６番端子を介して画像データがＬＤ基板４８に入力されると、その画像データに従ってレーザダイオード４２が点滅する。
【００７２】
そして、ポリゴンミラー４３によるレーザビームの走査を開始するとき、換言すれば、感光体ドラム６１へ静電潜像の書き込みを開始するときに、レーザダイオード４２が発光する。そして、そのレーザビームをフォトダイオード４６が受光することにより、レーザビームの走査を開始するときの同期をとるようにしている。
【００７３】
フォトダイオード４６でレーザビームが受光されると、１番端子を介して、ＰＤ基板４７からメイン基板８１へＤＩ光検出出力信号が出力される。したがって、メイン基板８１では、ＤＩ光検出出力信号の出力の有無によってレーザダイオード４２、フォトダイオード４６、ポリゴンミラー４３、ｆθレンズ１２０等の光学系が正常であるか否かを判断することができる。
【００７４】
例えば、ケーブルが半挿し状態の場合には、レーザダイオード駆動用電源（５ＶＩ）用の８番端子５２ｈ又はＤＩ光入力検出出力信号（ＢＤ）用の１番端子５２ａの何れかが電気的に非接触状態になるので、レーザダイオード４２又はフォトダイオード４６の少なくとも一方の信号の入出力が正常に行われない。
【００７５】
また、レーザダイオード４２又はフォトダイオード４６の何れかが故障した場合には、レーザビームの発光又は受光が正常に行われない。さらに、ポリゴンミラー４３や反射ミラー４４，４５などの光学系に異常があった場合にはフォトダイオード４６での受光が正常に行われない。
【００７６】
したがって、協働して作動するレーザダイオード４２とフォトダイオード４６との間のレーザビームの発光と受光とが正常に行われているか否かを、ＤＩ光入力検出出力信号の有無によって検知することにより、メインケーブル８３の半挿し状態はもちろんのことレーザダイオード４２とフォトダイオード４６及び光学系を含めた異常を検出することができるのである。
【００７７】
また、レーザダイオード駆動用電源（５ＶＩ）端子（８番端子５２ｈ）と制御回路用電源端子（５番端子５２ｅ）との間にグランド端子（７番端子５２ｇ）が配置されているので、そのグランドによって電子部品の駆動用電源が電磁遮蔽される。したがって、レーザダイオードの駆動電源からのノイズがレーザダイオード駆動用電源に混入して電子部品が異常作動することがない。
【００７８】
また、ＰＤ基板４７とメイン基板８１とは、可撓性を有するメインケーブル８３によって接続されているので、レーザプリンタ１内でのＰＤ基板４７やメイン基板８１の配置位置に関する設計の自由度を向上させることができる。
【００７９】
６．実施形態と発明特定事項との対応関係
本実施形態において、ＰＤ基板４７、ＬＤ基板４８及びスキャナケーブル４９が本発明における電子部品実装部材に相当する。
【００８０】
また、コネクタ５１の５番端子５２ｅ（制御回路用電源端子）が本発明における第１の電源端子に相当し、コネクタ５１の８番端子５２ｈ（レーザダイオード駆動用電源端子）が本発明における第２の電源端子に相当し、コネクタ５１の１番端子５２ａ〜４番端子５２ｄ及び６番端子５２ｆ〜８番端子５２ｈの端子が本発明における信号端子に相当する。
【００８１】
また、コネクタ５１のグランド端子（７番端子５２ｇ）が本発明におけるグランドに接続される端子に相当する。
また、コネクタ５１が本発明における電気接続部に相当し、メイン基板８１が本発明における制御基板に相当し、メインケーブル８３が本発明における可撓性を有するケーブルに相当する。
【００８２】
７．その他の実施形態
以上、本発明の実施形態について説明したが、本発明の実施形態は、上記実施形態に何ら限定されることなく、本発明の技術的範囲に属する限り種々の形態をとり得ることはいうまでもない。
【００８３】
本実施形態では、コネクタ５１は、８本の端子５２が略直線状に配置されて形成されており、コネクタ５１の長手方向略中央の端子は５番端子５２ｅであるが、略中央の端子は、例えば４番端子５２ｄであってもよい。
【００８４】
また、略直線状に配置されている端子が９本の場合には、長手方向略中央の端子は端から５番目に限られるものではなく、半挿し状態になったときに、対応するケーブルの端子と接触を保ち、電気的な導通を確保できれば、端から４番目や６番目の端子であってもよい。
【００８５】
さらに、コネクタ５１の端部の端子に関しても、８本の端子のうち、一番端の端子のみをいうのではなく、半挿し状態になったときに、対応するケーブルの端子と接触がなくなり、電気的な導通を確保できなくなる端子のことをいい、一番端から２番目や７番目の端子であってもよい。
【００８６】
また、本実施形態では、ケーブル８３の両端側にコネクタを有していたが、本発明はこれに限定されるものではなく、例えば、ケーブル８３の一端側をコネクタ５１に半田付け等のろう接手段を用いて固定してもよい。なお、この場合は、他端側のコネクタ８２において本発明を適用すれば、本実施形態と同様の効果が得られることはいうまでもない。
【００８７】
また、電子部品は、レーザダイオード４２やフォトダイオード４６でなく、ＬＥＤとフォトセルのように協働して作動する発光素子及び受光素子であればよい。
さらに、電子部品は、発光及び受光を行うものに限られるのではなく、協働して作動し、何らかの信号をやりとりする発信手段と受信手段であればよい。
【００８８】
また、ＰＤ基板４７にコネクタ５１を装着する代わりに、ＰＤ基板４７の端部が凸形状となるように加工し、その部分にメインケーブル８３の電気的接続を行う端子を設け、メインケーブル８３側にコネクタを設けて、ＰＤ基板４７とメインケーブル８３とを接続するようにしてもよい。
【００８９】
また、ＰＤ基板４７とＬＤ基板４８とをスキャナケーブル４９で接続する代わりに、フレックス基板を用いてＰＤ基板４７とＬＤ基板４８とを一体化して形成してもよい。
さらに、ケーブルの接続相手方は、ＰＤ基板４７のような回路基板のみならず、電源端子を有していればよく、例えば、インクジェット式や感熱式のレーザプリンタのヘッドであってもよいし、他の電子機器であってもよい。
【００９０】
また、コネクタ５１には、カバー５３が設けられているが、このカバー５３はなくてもよい。
また、電子装置は、装置内部で電子部品実装部材とケーブルとを接続するものであれば、レーザプリンタに限られないことはいうまでもない。
【図面の簡単な説明】
【００９１】
【図１】本実施形態のレーザプリンタ１の構成を示す斜視図である。
【図２】本実施形態のレーザプリンタ１の断面図である。
【図３】スキャナ部４０の概略構成図である。
【図４】コネクタ５１の端子配列を示す図である。
【図５】ＰＤ基板４７とメイン基板８１との間の電気的接続関係を示す図である。
【図６】コネクタ５１に対するリード８４の挿入状態を示す図である。
【符号の説明】
【００９２】
１…レーザプリンタ、３…筐体、５…排紙トレイ、５ａ…傾斜面、７…排出部、１０…画像形成部、２０…フィーダ部、２１…給紙トレイ、２２…給紙ローラ、２５…紙粉取りローラ、２６…対向ローラ、２７…レジストローラ、３０…排出シュート、４０…スキャナ部、４１…スキャナ制御部、４２…レーザダイオード、４３…ポリゴンミラー、４４…反射ミラー、４４…反射鏡、４５…反射鏡、４６…フォトダイオード、４７…ＰＤ基板、４８…ＬＤ基板、４９…スキャナケーブル、５０…スキャナ制御回路、５１…コネクタ、５２…端子、５３…カバー、５４…筐体、６０…プロセスカートリッジ、６１…感光体ドラム、６１ａ…ドラム本体、６１ｂ…ドラム軸、６２…帯電器、６３…転写ローラ、６４…現像カートリッジ、６４ａ…トナー収容室、６４ｂ…トナー供給ローラ、６４ｃ…現像ローラ、６４ｄ…層厚規制ブレード、７０…定着部、７１…加熱ローラ、７２…加圧ローラ、８０…主制御部、８１…メイン基板、８２…コネクタ、８３…メインケーブル、８４…リード、１１１…ポリゴンモータ、１２０…ｆθレンズ、１３０…シリンドリカルレンズ、１４０…反射鏡、１６０…レーザ出射部、１７０…シリンドリカルレンズ、２２０…ＢＤレンズ。
【図１】
2007019325.tif 000003
【図２】
2007019325.tif 000004
【図３】
2007019325.tif 000005
【図４】
2007019325.tif 000006
【図５】
2007019325.tif 000007
【図６】
2007019325.tif 000008